(57)【要約】【課題】ＦＭ記録された媒体のデータを読み取る媒体読取装置に関し、水平及び垂直パリテイチエックで検出できないデータ化けを検出する。【解決手段】媒体（９）のＦＭ記録信号を検出する検出器（１１）からの記録信号の時間間隔を計算し、時間間隔と所定の基準間隔との比較からデータを判定する。そして、時間間隔と判定結果からデータ化け可能性を判定し、前記データ化けの可能性のあるデータが２箇所以上検出時に、前記媒体の再読み取りを行う。このため、水平及び垂直パリテイチエックで検出できないデータ化けが２箇所のデータをエラー検出でき、誤読の可能性が少なくなり、読み取り性能を向上できる。又、データ化けの可能性がある時のみ、リトライを行うため、リード処理時間及び取引時間への影響も少ない。【選択図】図６
2004264980.tif 000002
【特許請求の範囲】
【請求項１】
ＦＭ方式でデータが記録された媒体を読み取る媒体読取装置において、
前記媒体の記録信号を検出する検出器と、
前記検出器からの記録信号の時間間隔を計算し、前記時間間隔と所定の基準間隔との比較からデータを判定する処理装置とを有し、
前記処理装置は、前記時間間隔と前記判定結果からデータ化け可能性を判定し、前記データ化けの可能性のあるデータが２箇所以上検出時に、前記媒体の再読み取りを行う
ことを特徴とする媒体読取装置。
【請求項２】
前記処理装置は、前記読み取りによる判定データと、前記再読み取りによる判定データとを比較して、一致している場合には、正常、一致していない場合には、異常と判定する
ことを特徴とする請求項１の媒体読取装置。
【請求項３】
前記処理装置は、前記基準間隔から前記判定結果の前記データ化けの可能性範囲を設定し、前記時間間隔と前記データ化け可能性範囲との比較から、前記データ化け可能性を判定する
ことを特徴とする請求項１の媒体読取装置。
【請求項４】
前記処理装置は、前記基準間隔から前記判定結果に応じた第１及び第２の前記データ化けの可能性間隔を設定し、前記判定結果に応じて、前記時間間隔と第１又は第２の前記データ化け可能性間隔との比較から、前記データ化け可能性を判定する
ことを特徴とする請求項３の媒体読取装置。
【請求項５】
ＦＭ方式でデータが記録された媒体を読み取る媒体読取方法において、
前記媒体の記録信号を検出する検出器からの記録信号の時間間隔を計算するステップと、
前記時間間隔と所定の基準間隔との比較からデータを判定するステップと、
前記時間間隔と前記判定結果からデータ化け可能性を判定するステップと、
前記データ化けの可能性のあるデータが２箇所以上検出時に、前記媒体の再読み取りを行うステップを有する
ことを特徴とする媒体読取方法。
【発明の詳細な説明】
【０００１】
【発明の属する技術分野】
本発明は、ＦＭ方式で記録された媒体のデータを読み取る媒体読取装置及び媒体読取方法に関し、特に、データ化けによる誤読を防止するための媒体読取装置及び媒体読取方法に関する。
【０００２】
【従来の技術】
ＦＭ（Ｆｒｅｑｕｅｎｃｙ  Ｍｏｄｕｌａｔｉｏｎ）方式で記録された媒体は、磁気ストライプを有する磁気カード、磁気通帳等で広く利用されている。このような磁気媒体は、金融、流通、公共等の様々な分野の個人認識用カード等に普及している。
【０００３】
このようなカードを利用する装置には、金融用のＡＴＭ（Ａｕｔｏｍａｔｉｃ  Ｔｅｌｌｅｒ  Ｍａｃｈｉｎｅ）、ＰＯＳ（Ｐｏｉｎｔ  Ｏｆ  Ｓａｌｅｓ）端末、自動発行機、自動販売機、セキュリテイ装置等がある。
【０００４】
このため、カードを読み取る読取装置には、読み取りデータのエラーを検出し、エラーデータの出力を防止する機能が必要である。図８は、磁気カードのＦＭ記録方式の説明図である。磁気カードでは、磁気ストライプで極性（Ｎ極、Ｓ極）を変化し、間隔の違いでデータを記録する。信号は、クロックビットとデータビットで構成される。クロックビットは一定周期で記録される。データビットは、データが‘１’のときのみ存在する。
【０００５】
このＦＭ記録データの読み取り方法は、クロックビットから所定期間内（例えば、クロックビットの間隔の６６．７％程度）に、データ（磁気変化点）があれば、データ‘１’、無ければ、データ‘０’と判断する。カードを搬送しながら読み取るため、クロックビットの間隔は、時間で測定する。
【０００６】
このような読み取りデータの読み取りエラーを検出するため、パリテイチエックが知られている。図９に示すように、データチエックは、８ビット（０〜７）で１キャラクタとし、キャラクタ単位で水平に並べて、各行を水平パリテイにより、各列を垂直パリテイによりチエックする。
【０００７】
図９では、リード順は、左下から上に行き、次は、１列右の下となり、白丸を‘０’、黒丸を‘１’とする。垂直パリテイチエックは、各列の‘１’（黒丸）の数が偶数であることをチエックする。水平パリテイチエックは、各行の‘１’（黒丸）の数が偶数であることをチエックする（例えば、特許文献１）。
【０００８】
このようなデータエラーの原因は、図１０に示すように、図１０の上段のＭＳデータ列のデータ‘１’の磁気反転を、図１０の下段のように、太点点線位置で検出すると、（ａ）の間隔が、所定間隔（クロックビットの間隔の約７割）以上となるため、データ‘１’が、データ‘０’に判定され、（ｂ）の間隔は、次にくるクロックビットで間隔が短いため、データ‘１’と判定される。
【０００９】
このようなキャラクタ内の２ビットのデータ化けは、図９では、垂直パリテイで検出できないが、水平パリテイで検出できる。又、キャラクタ内の１ビットのデータ化けは、垂直パリテイで検出できる。このような間隔の変動は、カードを搬送しながら固定された磁気ヘッドが磁気ストライプの磁気変換を検出するため、搬送速度の変動により生じやすい。
【００１０】
【特許文献１】
特開昭５６−９３１０６号公報
【００１１】
【発明が解決しようとする課題】
このように、媒体読取装置では、カード搬送速度を一定に維持し、カード搬送速度が変動しても、前述のキャラクタ内の２ビットデータ化けや１ビットデータ化けしか生じないものとして、前述の水平及び垂直パリテイチエックで充分とされていた。
【００１２】
しかしながら、近年、磁気媒体の種類が増加し、且つカードに、個人的にシールを貼る等の傾向が見られ、カード搬送速度の変動が大きくなってきた。このため、図１１に示すように、２ビットのデータ化けが、２キャラクタで発生する障害が生じ、従来の水平及び垂直パリテイチエックでは、この異常を検出できないという問題が生じる。
【００１３】
このような異常が生じても、読取装置は、エラーなしのデータとして、上位装置に出力し、上位装置で始めて、異常を検出することになる。又、このような異常は、常時生じるわけでなく、例えば、シールを貼ったカードを逆方向に搬送して、読み取るリトライリードで救済できる場合があるが、リトライすると、それだけ時間がかかる。例えば、ＡＴＭでは、取引時間に影響する。
【００１４】
従って、本発明の目的は、ＦＭ記録方式でデータを記録された媒体の読み取り性能を向上するための媒体読取装置及びその媒体読取方法を提供することにある。
【００１５】
又、本発明の他の目的は、２ビット化けが２キャラクタで生じたことを検出し、リトライするための媒体読取装置及びその媒体読取方法を提供することにある。
【００１６】
【課題を解決するための手段】
この目的の達成のため、本発明のＦＭ方式でデータが記録された媒体を読み取る媒体読取装置は、前記媒体の記録信号を検出する検出器と、前記検出器からの記録信号の時間間隔を計算し、前記時間間隔と所定の基準間隔との比較からデータを判定する処理装置とを有し、前記処理装置は、前記時間間隔と前記判定結果からデータ化け可能性を判定し、前記データ化けの可能性のあるデータが２箇所以上検出時に、前記媒体の再読み取りを行う。
【００１７】
又、本発明のＦＭ方式でデータが記録された媒体を読み取る媒体読取方法において、前記媒体の記録信号を検出する検出器からの記録信号の時間間隔を計算するステップと、前記時間間隔と所定の基準間隔との比較からデータを判定するステップと、前記時間間隔と前記判定結果からデータ化け可能性を判定するステップと、前記データ化けの可能性のあるデータが２箇所以上検出時に、前記媒体の再読み取りを行うステップを有する。
【００１８】
本発明では、検出器からの記録信号の時間間隔を計算し、前記時間間隔と所定の基準間隔との比較からデータを判定するとともに、時間間隔と前記判定結果からデータ化け可能性を判定し、前記データ化けの可能性のあるデータが２箇所以上検出時に、前記媒体の再読み取りを行うので、水平及び垂直パリテイチエックで検出できないデータ化けが２箇所のデータをエラー検出でき、誤読の可能性が少なくなり、読み取り性能を向上できる。
【００１９】
又、データ化けの可能性がある時のみ、リトライを行うため、リード処理時間及び取引時間への影響も少ない。
【００２０】
又、本発明では、好ましくは、前記処理装置は、前記読み取りによる判定データと、前記再読み取りによる判定データとを比較して、一致している場合には、正常、一致していない場合には、異常と判定する。これにより、リトライによるデータの正常性を確認できる。
【００２１】
又、本発明では、好ましくは、前記処理装置は、前記再読み取り時に、前記読み取り時と逆方向に前記媒体を搬送して、前記検出器からの記録信号によりデータを判定する。これにより、リトライ時間を短縮できる。
【００２２】
又、本発明では、好ましくは、前記処理装置は、前記基準間隔から前記判定結果の前記データ化けの可能性範囲を設定し、前記時間間隔と前記データ化け可能性範囲との比較から、前記データ化け可能性を判定する。これにより、容易にデータ化けの可能性を判定できる。
【００２３】
又、本発明では、好ましくは、前記処理装置は、前記基準間隔から前記判定結果に応じた第１及び第２の前記データ化けの可能性間隔を設定し、前記判定結果に応じて、前記時間間隔と第１又は第２の前記データ化け可能性間隔との比較から、前記データ化け可能性を判定する。これにより、正確にデータ化けの可能性を判定できる。
【００２４】
又、本発明では、好ましくは、前記処理装置は、前記判定データの水平及び垂直パリテイチエックを行い、前記水平及び垂直パリテイチエック結果が正常である時に、前記データ化け可能性の判定を行う。これにより、予めパリテイチエックで異常を検出でき、且つパリテイチエックで正常な場合のみ、データ化け可能性チエックを行うことができる。
【００２５】
又、本発明では、好ましくは、前記処理装置は、前記媒体にＦＭ記録された磁気信号の時間間隔から前記媒体のデータを判定する。これにより、携帯される磁気媒体のデータ化け可能性を判定でき、誤読を防止できる。
【００２６】
【発明の実施の形態】
以下、本発明の実施の形態を、媒体読取装置、媒体読取処理、他の実施の形態の順で説明する。
【００２７】
［媒体読取装置］
図１は、本発明の一実施の形態の媒体読取装置を搭載した自動取引装置の外観図、図２は、本発明の一実施の形態の媒体読取装置の構成図、図３は、図２の媒体読取装置の制御ブロック図である。
【００２８】
図１に示すように、自動取引装置１は、磁気カードの挿入及び排出のためのカード出入口２、磁気通帳の挿入及び排出のための通帳出入口３、紙幣の投入及び排出のための紙幣出入口４、硬貨の投入及び排出のための硬貨出入口５、利用者の操作のためのＵＯＰ（Ｕｎｉｖｅｒｓａｌ    Ｏｐｅｒａｔｉｏｎ  Ｐａｎｅｌ）６、利用者に運用状況を表示するための運用表示器７、利用者を検出する顧客センサ８を備える。
【００２９】
図２は、図１の自動取引装置１に設けられたカードリーダ／インプリンタ（ＣＩＰ）１０の構成図である。ＣＩＰ１０は、カード出入口（カード挿入口）２から挿入された磁気カード９を読み取り、且つレシートを発行して、磁気カード９とレシートをカード出入口２に排出する。
【００３０】
カード出入口２から挿入された磁気カード９は、図示しない搬送機構で搬送されながら、磁気ヘッド１１で読み取られる。イメージセンサ１２は、磁気カード９（エンボス部）を光学的に読み取る。印字ヘッド１３は、リジェクトされた不正（例えば、暗証番号が所定回数連続して一致しない等）の磁気カード９にこの旨を印字する。リジェクト部１４は、リジェクトされた磁気カード９を収容する。
【００３１】
印字ヘッド１５は、レシート用紙１６に、取引結果の印字を行い、レシートをカード出入口２に排出する。予備レシート１７は、レシート用紙１６の補充のため、設けられる。リジェクト部１８は、排出されたレシートが所定時間内に利用者に抜き取られない時に、出入口２から戻されたレシートを収容する。
【００３２】
図３は、ＣＩＰ１０の制御回路を含む自動取引装置１の制御部のブロック図である。図３に示すように、自動取引装置１の制御部は、ＣＩＰユニット（制御回路）１０と、ＵＯＰ６の制御ユニット３０と、通帳処理ユニット４０と、紙幣／硬貨処理ユニット５０と、これら制御ユニット１０，３０，４０，５０に接続され、自動取引処理を行う全体制御部６０とからなる。
【００３３】
ＣＩＰ制御ユニット１０は、磁気ヘッド１１を含むＭＳリーダ／ライタ１１と、ＣＩＰ１０の搬送機構等のメカを制御するメカ制御部２０と、メモリ２４と、ＣＰＵ２２と、通信制御部２６とを有する。後述するように、ＣＰＵ２２は、メモリ２４に展開したスケール値、上限値、下限値、誤読可能性カウンタ、読出しカウンタを使用して、磁気カード９の読み取り処理を行う。
【００３４】
［媒体読取処理］
次に、磁気カード９の読み取り処理を説明する。図４は、本発明の一実施の形態の読み取り処理フロー図、図５は、図４の前準備処理フロー図、図６は、その説明図、図７は、図４の１ビット読み出しシークエンス処理フロー図である。図５及び図６を参照して、図４により、読み取り処理を説明する。
【００３５】
（Ｓ１０）先ず、図５の前準備処理を行う。この処理は、後述するように、データの判定基準値を設定するものである。
【００３６】
（Ｓ１２）磁気カード９を正方向（図２の左方向）に搬送し、図７にて、後述する１ビット読み出しシーケンス処理で、磁気ヘッド１１の検出磁気信号からデータを判定し、図９で説明した水平及び垂直パリテイチエックを行う。
【００３７】
（Ｓ１４）水平及び垂直パリテイチエックのいずれも正常かを判定する。水平及び垂直パリテイチエックのいずれかが正常でないと判定すると、ステップＳ２２に進む。
【００３８】
（Ｓ１６）水平及び垂直パリテイチエックのいずれかも正常であると判定すると、図５及び図７にて説明する誤読可能性カウンタの値が、「２」以上かを判定し、データ化けの可能性が２個以上かを判定する。データ化けの可能性が２個以上でない時は、正常終了する。
【００３９】
（Ｓ１８）一方、データ化けの可能性が２個以上であると判定すると、磁気カード９を逆方向（図２の右方向）に搬送し、図７にて、後述する１ビット読み出しシーケンス処理で、磁気ヘッド１１の検出磁気信号からデータを判定し、図９で説明した水平及び垂直パリテイチエックを行う。そして、水平及び垂直パリテイチエックのいずれも正常かを判定する。水平及び垂直パリテイチエックのいずれかが正常でないと判定すると、ステップＳ２２に進む。
【００４０】
（Ｓ２０）水平及び垂直パリテイチエックのいずれも正常であると判定すると、正方向の読み取りデータと、逆方向の読み取りデータとを比較し、一致しているかを判定する。一致していれば、データ化けがないとし、正常終了する。一致していないと、ステップＳ２２に進む。
【００４１】
（Ｓ２２）リトライ回数をオーバーしたかを判定する。リトライ回数をオーバーしていない場合には、ステップＳ１０に戻る。一方、リトライ回数をオーバーしている場合には、異常終了する。
【００４２】
次に、図６を参照して、図５により、図４の前準備処理を説明する。
【００４３】
（Ｓ３０）データ「１」、「０」の判定のスケール（時間）を、所定のクロックビットのノミナル（間隔）の６６．７％に設定する。即ち、図５に示すように、クロックビットから、クロックビットのノミナル間隔の６６．７％以内に、磁気信号があると、データ「１」と判定し、無ければ、データ「０」と判定する。
【００４４】
（Ｓ３２）次に、誤変換の上限を、スケールの＋１２．５％に設定する。又、誤変換の下限を、スケールの−６．２５％に設定する。図６に示すように、データ化けの可能性がある部分は、データ１／０の基準値（スケール＝クロックビット間隔の６６．７％）の−６．２５％〜＋１２．５％とする。図６のマイナス方向の範囲が少ないのは、−１２．５％とすると、データビットに近づきすぎてしまうからである。
【００４５】
（Ｓ３４）誤読可能性を検出した回数をカウントする誤読可能性カウンタを、ゼロにセットし、読み取り開始時の磁気信号をノイズとして、除去するための読み出しカウンタをゼロにセットし、終了する。
【００４６】
次に、図７により、図４の１ビット読み出しシーケンス処理を説明する。
【００４７】
（Ｓ４０）ＣＰＵ２２は、ＭＳリーダ／ライタ１１から磁気信号を受けたかを判定する。
【００４８】
（Ｓ４２）磁気信号を検出すると、今回時刻に、現在時刻をセットする。
【００４９】
（Ｓ４４）読み出しカウンタが「３」を越えたかを判定する。即ち、読出し開始から磁気信号を３つ無視し、読出し開始時のノイズの影響を除去する。読み出しカウンタが「３」を越えていないと、ステップＳ５４に進む。
【００５０】
（Ｓ４６）一方、読み出しカウンタが、「３」を越えていると、磁気信号の間隔を、（今回時刻−前回時刻）で計算する。この磁気信号の間隔を、スケールと比較する。
【００５１】
（Ｓ４８）間隔がスケール以上であれば、間隔が誤変換上限（図６参照）以下かを判定する。間隔が誤変換上限以下でない時は、データ「０」とする。一方、間隔が誤変換上限以下である時は、誤読可能性カウンタを＋１インクリメントし、データ「０」とする。そして、ステップＳ５４に進む。
【００５２】
（Ｓ５０）間隔がスケール以上でなければ、間隔が誤変換下限（図６参照）以上かを判定する。間隔が誤変換下限以上でない時は、データ「１」とする。一方、間隔が誤変換下限以上以上である時は、誤読可能性カウンタを＋１インクリメントし、データ「１」とする。
【００５３】
（Ｓ５２）ＣＰＵ２２は、ＭＳリーダ／ライタ１１から磁気信号を受けたかを判定する。磁気信号を検出すると、今回時刻に、現在時刻をセットする。
【００５４】
（Ｓ５４）前回時刻に、今回時刻をセットし、読み出しカウンタを＋１インクリメントし、終了する。
【００５５】
即ち、図６に示すように、クロックビットの間隔から規定した１／０判定基準値（スケール）と、磁気信号の間隔を比較し、データが「１」であるか「０」であるかを判定する他に、スケールを中心に所定の範囲に、誤読可能性範囲（誤変換下限値、誤変換上限値）を設定する。
【００５６】
そして、磁気信号の間隔が、スケール以下でデータ「１」と判定した時に、この間隔が、誤変換下限以上なら誤読可能性有りと判定し、又、磁気信号の間隔が、スケール以上でデータ「０」と判定した時に、この間隔が、誤変換上限以下なら誤読可能性有りと判定する。
【００５７】
そして、図４に示すように、誤読可能性検出をカウントする誤読可能性カウンタが「２」以上なら、データ化けの可能性が２個以上と判定する。この判定により、逆方向リードを行い、正方向リードと逆方向リードとのデータを比較して、一致していれば、データ化けなしと判定する。一方、一致していなければ、データ化けが２箇所で発生したと判定し、リトライリードを行う。
【００５８】
このように、水平及び垂直パリテイチエックで検出できないデータ化けが２箇所のデータをエラー検出できるため、誤読の可能性が少なくなり、読み取り性能を向上できる。
【００５９】
又、データ化けの可能性がある時のみ、リトライを行うため、リード処理時間及び取引時間への影響も少ない。
【００６０】
［他の実施の形態］
前述の実施の形態では、図１のような自動取引装置のＣＩＰを例に、媒体読取装置を説明したが、ＰＯＳ端末や自動発行機、自動販売機、本人確認装置等の他の装置に適用できる。
【００６１】
又、磁気カードで説明したが、磁気通帳等の他の磁気媒体に適用でき、且つ磁気媒体のみならず、ＦＭ記録されたデータを持つ光媒体等他の記録媒体にも適用できる。
【００６２】
以上、本発明を実施の形態により説明したが、本発明の趣旨の範囲内において、本発明は、種々の変形が可能であり、本発明の範囲からこれらを排除するものではない。
【００６３】
（付記１）ＦＭ方式でデータが記録された媒体を読み取る媒体読取装置において、前記媒体の記録信号を検出する検出器と、前記検出器からの記録信号の時間間隔を計算し、前記時間間隔と所定の基準間隔との比較からデータを判定する処理装置とを有し、前記処理装置は、前記時間間隔と前記判定結果からデータ化け可能性を判定し、前記データ化けの可能性のあるデータが２箇所以上検出時に、前記媒体の再読み取りを行うことを特徴とする媒体読取装置。
【００６４】
（付記２）前記処理装置は、前記読み取りによる判定データと、前記再読み取りによる判定データとを比較して、一致している場合には、正常、一致していない場合には、異常と判定することを特徴とする付記１の媒体読取装置。
【００６５】
（付記３）前記処理装置は、前記再読み取り時に、前記読み取り時と逆方向に前記媒体を搬送して、前記検出器からの記録信号によりデータを判定することを特徴とする付記１の媒体読取装置。
【００６６】
（付記４）前記処理装置は、前記基準間隔から前記判定結果の前記データ化けの可能性範囲を設定し、前記時間間隔と前記データ化け可能性範囲との比較から、前記データ化け可能性を判定することを特徴とする付記１の媒体読取装置。
【００６７】
（付記５）前記処理装置は、前記基準間隔から前記判定結果に応じた第１及び第２の前記データ化けの可能性間隔を設定し、前記判定結果に応じて、前記時間間隔と第１又は第２の前記データ化け可能性間隔との比較から、前記データ化け可能性を判定することを特徴とする付記４の媒体読取装置。
【００６８】
（付記６）前記処理装置は、前記判定データの水平及び垂直パリテイチエックを行い、前記水平及び垂直パリテイチエック結果が正常である時に、前記データ化け可能性の判定を行うことを特徴とする付記１の媒体読取装置。
【００６９】
（付記７）前記処理装置は、前記媒体にＦＭ記録された磁気信号の時間間隔から前記媒体のデータを判定することを特徴とする付記１の媒体読取装置。
【００７０】
（付記８）ＦＭ方式でデータが記録された媒体を読み取る媒体読取方法において、前記媒体の記録信号を検出する検出器からの記録信号の時間間隔を計算するステップと、前記時間間隔と所定の基準間隔との比較からデータを判定するステップと、前記時間間隔と前記判定結果からデータ化け可能性を判定するステップと、前記データ化けの可能性のあるデータが２箇所以上検出時に、前記媒体の再読み取りを行うステップを有することを特徴とする媒体読取方法。
【００７１】
（付記９）前記読み取りによる判定データと、前記再読み取りによる判定データとを比較して、一致している場合には、正常、一致していない場合には、異常と判定するステップを更に有することを特徴とする付記８の媒体読取方法。
【００７２】
（付記１０）前記再読み取りステップは、前記読み取り時と逆方向に前記媒体を搬送して、前記検出器からの記録信号によりデータを判定するステップからなることを特徴とする付記８の媒体読取方法。
【００７３】
（付記１１）前記データ化け可能性判定ステップは、前記基準間隔から前記判定結果の前記データ化けの可能性範囲を設定し、前記時間間隔と前記データ化け可能性範囲との比較から、前記データ化け可能性を判定するステップからなることを特徴とする付記８の媒体読取方法。
【００７４】
（付記１２）前記データ化け判定ステップは、前記基準間隔から前記判定結果に応じた第１及び第２の前記データ化けの可能性間隔を設定し、前記判定結果に応じて、前記時間間隔と第１又は第２の前記データ化け可能性間隔との比較から、前記データ化け可能性を判定するステップからなることを特徴とする付記１１の媒体読取方法。
【００７５】
（付記１３）前記判定データの水平及び垂直パリテイチエックを行い、前記水平及び垂直パリテイチエック結果が正常である時に、前記データ化け可能性の判定を行うステップを更に有することを特徴とする付記８の媒体読取方法。
【００７６】
（付記１４）前記時間間隔の計算ステップは、前記媒体にＦＭ記録された磁気信号の時間間隔を計算するステップからなることを特徴とする付記８の媒体読取方法。
【００７７】
【発明の効果】
このように、本発明では、検出器からの記録信号の時間間隔を計算し、前記時間間隔と所定の基準間隔との比較からデータを判定するとともに、時間間隔と前記判定結果からデータ化け可能性を判定し、前記データ化けの可能性のあるデータが２箇所以上検出時に、前記媒体の再読み取りを行うので、水平及び垂直パリテイチエックで検出できないデータ化けが２箇所のデータをエラー検出でき、誤読の可能性が少なくなり、読み取り性能を向上できる。
【００７８】
又、データ化けの可能性がある時のみ、リトライを行うため、リード処理時間及び取引時間への影響も少ない。
【図面の簡単な説明】
【図１】本発明の媒体読取装置を適用した自動取引装置の外観図である。
【図２】本発明の一実施の形態の媒体読取装置の構成図である。
【図３】図２の媒体読取装置の制御部のブロック図である。
【図４】本発明の一実施の形態の媒体読取処理フロー図である。
【図５】図４の前準備処理フロー図である。
【図６】図５の前準備処理の説明図である。
【図７】図４の１ビット読み取りシーケンス処理フロー図である。
【図８】本発明の対象とするＦＭ記録データの説明図である。
【図９】従来のデータチエック方法の説明図である。
【図１０】データ化けの発生原因の説明図である。
【図１１】従来のデータチエック方法の問題点の説明図である。
【符号の説明】
１  自動取引装置
２  カード出入口
９  磁気カード
１０  磁気カードリーダ
１１  磁気ヘッド
２２  ＣＰＵ
２４  メモリ
【図１】
2004264980.tif 000003
【図２】
2004264980.tif 000004
【図３】
2004264980.tif 000005
【図４】
2004264980.tif 000006
【図５】
2004264980.tif 000007
【図６】
2004264980.tif 000008
【図７】
2004264980.tif 000009
【図８】
2004264980.tif 000010
【図９】
2004264980.tif 000011
【図１０】
2004264980.tif 000012
【図１１】
2004264980.tif 000013